(57)【特許請求の範囲】
【請求項１】
ペンの位置を示す座標を検出可能なディスプレイと、
前記ディスプレイ上での前記ペンの軌跡によって入力される複数の第１ストロークを、前記ディスプレイに表示する表示処理手段と、
前記複数の第１ストロークから認識可能な第１の文字の位置と、前記複数の第１ストロークから認識可能な第２の文字の位置とを用いて、前記ペンの位置を示す座標を補正するための補正方向および補正量を決定する補正演算手段と、
前記ディスプレイによって検出された前記ペンの位置を示す座標を前記補正方向および前記補正量に基づいて補正する補正処理手段とを具備し、
前記表示処理手段は、前記補正された座標に基づいて、前記ディスプレイ上で行われる前記ペンによる手書き入力操作によって手書きされる複数の第２ストロークそれぞれの軌跡を、前記ディスプレイに表示する
電子機器。
【請求項２】
前記表示処理手段は、前記補正方向および前記補正量に応じて前記第２の文字の表示位置を変更する
請求項１に記載の電子機器。
【請求項３】
前記複数の第１ストロークにそれぞれ対応する複数のストロークデータを含む時系列情報であって、前記複数のストロークデータの各々は対応するストロークの軌跡上の点それぞれに対応する座標データ系列を含み、前記複数のストロークデータが前記複数の第１ストロークが手書きされた順に時系列に並べられている時系列情報を生成する生成手段と、
前記時系列情報を記憶媒体に保存する保存手段とを更に具備し、
前記表示処理手段は、前記時系列情報を前記記憶媒体から読み出し、前記読み出される前記時系列情報に基づいて前記複数の第１ストロークそれぞれに対応する軌跡を、前記ディスプレイに表示する請求項１に記載の電子機器。
【請求項４】
前記生成手段は、前記補正方向および前記補正量に応じて前記時系列情報の前記第２の文字に対応する座標データ系列を補正する
請求項３に記載の電子機器。
【請求項５】
前記生成手段は、前記補正された座標に基づいて、前記時系列情報を生成する
請求項３に記載の電子機器。
【請求項６】
前記第１の文字と前記第２の文字とが重なっているかを判定する判定手段を更に具備し、
前記第１の文字と前記第２の文字とが重なっていると判定された場合に、前記補正演算手段は、前記補正方向および前記補正量を演算する
請求項１に記載の電子機器。
【請求項７】
前記判定手段は、前記第１の文字と前記第２の文字との交点が設定数以上、且つ前記交点を囲う矩形の面積と前記第１の文字と前記第２の文字を囲う矩形の面積との比が設定値以上の場合に、前記第１の文字と前記第２の文字とが重なっていると判定する
請求項６に記載の電子機器。
【請求項８】
ディスプレイ上のペンの位置を示す座標を検出し、
前記座標に応じて、前記ディスプレイ上で行われる前記ペンによる手書き入力操作によって手書きされる複数の第１ストロークを、前記ディスプレイに表示し、
前記複数の第１ストロークから認識可能な第１の文字の位置と、前記複数の第１ストロークから認識可能な第２の文字の位置とを用いて、前記ペンの位置を示す座標を補正するための補正方向および補正量を演算し、
前記ディスプレイによって検出された前記ペンの位置を示す座標を前記補正方向および前記補正量に基づいて補正し、
前記補正された座標に基づいて、前記ディスプレイ上で行われる前記ペンによる手書き入力操作によって手書きされる複数の第２ストロークそれぞれの軌跡を、前記ディスプレイに表示する
手書き文書処理方法。
【請求項９】
前記補正方向および前記補正量に応じて前記第２の文字の表示位置を変更する
請求項８に記載の手書き文書処理方法。
【請求項１０】
前記複数の第１ストロークにそれぞれ対応する複数のストロークデータを含む時系列情報であって、前記複数のストロークデータの各々は対応するストロークの軌跡上の点それぞれに対応する座標データ系列を含み、前記複数のストロークデータが前記複数の第１ストロークが手書きされた順に時系列に並べられている時系列情報を生成し、
前記時系列情報を記憶媒体に保存し、
前記時系列情報を前記記憶媒体から読み出し、前記読み出される前記時系列情報に基づいて前記複数の第１ストロークそれぞれに対応する軌跡を、前記ディスプレイに表示する
請求項８に記載の手書き文書処理方法。
【請求項１１】
前記補正方向および前記補正量に応じて前記時系列情報の前記第２の文字に対応する座標データ系列を補正する
請求項１０に記載の手書き文書処理方法。
【請求項１２】
前記補正された座標に基づいて、前記時系列情報を生成する
請求項１０に記載の手書き文書処理方法。
【請求項１３】
前記第１の文字と前記第２の文字とが重なっているかを判定し、
前記第１の文字と前記第２の文字とが重なっていると判定された場合に、前記補正方向および前記補正量を演算する
請求項８に記載の手書き文書処理方法。
【請求項１４】
前記第１の文字と前記第２の文字との交点が設定数以上、且つ前記交点を囲う矩形の面積と前記第１の文字と前記第２の文字を囲う矩形の面積との比が設定値以上の場合に、前記第１の文字と前記第２の文字とが重なっていると判定する
請求項１３に記載の手書き文書処理方法。
【請求項１５】
コンピュータに、
ディスプレイ上のペンの位置を示す座標に応じて、前記ディスプレイ上で行われる前記ペンによる手書き入力操作によって手書きされる複数の第１ストロークを、前記ディスプレイに表示するための手順と、
前記複数の第１ストロークから認識可能な第１の文字の位置と、前記複数の第１ストロークから認識可能な第２の文字の位置とを用いて、前記ペンの位置を示す座標を補正するための補正方向および補正量を演算する手順と、
前記ディスプレイによって検出された前記ペンの位置を示す座標を前記補正方向および前記補正量に基づいて補正する手順と、
前記補正された座標に基づいて、前記ディスプレイ上で行われる前記ペンによる手書き入力操作によって手書きされる複数の第２ストロークそれぞれの軌跡を、前記ディスプレイに表示する手順と、
を実行させるプログラム。
【請求項１６】
前記補正方向および前記補正量に応じて前記第２の文字の表示位置を変更する手順を前記コンピュータに実行させる請求項１５に記載のプログラム。
【請求項１７】
前記複数の第１ストロークにそれぞれ対応する複数のストロークデータを含む時系列情報であって、前記複数のストロークデータの各々は対応するストロークの軌跡上の点それぞれに対応する座標データ系列を含み、前記複数のストロークデータが前記複数の第１ストロークが手書きされた順に時系列に並べられている時系列情報を生成する手順と、
前記時系列情報を記憶媒体に保存する手順と、
前記時系列情報を前記記憶媒体から読み出し、前記読み出される前記時系列情報に基づいて前記複数の第１ストロークそれぞれに対応する軌跡を、前記ディスプレイに表示する手順とを
前記コンピュータに実行させる請求項１５に記載のプログラム。
【請求項１８】
前記補正方向および前記補正量に応じて前記時系列情報の第２の文字に対応する座標データ系列を補正する手順
を前記コンピュータに実行させる請求項１７に記載のプログラム。
【請求項１９】
前記補正された座標に基づいて、前記時系列情報を生成する手順とを
前記コンピュータに実行させる請求項１７に記載のプログラム。
【請求項２０】
前記第１の文字と前記第２の文字とが重なっているかを判定する手順と、
前記第１の文字と前記第２の文字とが重なっていると判定された場合に、前記補正方向および前記補正量を演算する手順と
を前記コンピュータに実行させる請求項１５に記載のプログラム。
【請求項２１】
前記第１の文字と前記第２の文字との交点が設定数以上、且つ前記交点を囲う矩形の面積と前記第１の文字と前記第２の文字を囲う矩形の面積との比が設定値以上の場合に、前記第１の文字と前記第２の文字とが重なっていると判定する手順
を前記コンピュータに実行させる請求項２０に記載のプログラム。
【発明の詳細な説明】
【技術分野】
【０００１】
本実施形態は、手書き文書の処理方法に関する。
【背景技術】
【０００２】
電磁誘導方式のデジタイザによる入力では、ペンの軌跡とディスプレイの表示画面に表示される線とがずれてしまい、文字が重なってしまうことがある。この問題を解決するために、適宜キャリブレーションを行う方法や、ペンの傾きを利用して表示位置の補正を行う方法が考えられる。
【先行技術文献】
【特許文献】
【０００３】
【特許文献１】特開２００２−１０９４７１号公報
【発明の概要】
【発明が解決しようとする課題】
【０００４】
座って利用するとき、寝て利用するとき、持って利用するとき、机に置いて利用するときなど、利用環境ごとにキャリブレーションを行うことは煩わしい。また、ペンの傾きをタブレットにフィードバックするには、ペンとの間の通信手段が必要となりコストがかかることや、ペン重量の増加が懸念される。
【０００５】
本発明の一形態の目的は、ペンの位置を示す座標の補正方向・量を簡易に求めることが可能な電子機器および手書き文書処理方法を提供することにある。
【課題を解決するための手段】
【０００６】
実施形態によれば、電子機器は、ディスプレイと、表示処理手段と、補正演算手段と、補正処理手段とを具備する。前記表示処理手段は、前記上のペン軌跡によって入力される複数の第１ストロークを、前記ディスプレイに表示する。前記補正演算手段は、複数の第１ストロークから認識可能な第１の文字の位置と、前記複数の第１ストロークから認識可能な第２の文字の位置とを用いて、前記ペンの位置を示す座標を補正するための補正方向および補正量を決定する。補正処理手段は、前記ディスプレイによって検出された前記ペンの位置を示す座標を前記補正方向および前記補正量に基づいて補正する。前記表示処理手段は、前記補正された座標に基づいて、前記ディスプレイ上で行われる前記ペンによる手書き入力操作によって手書きされる複数の第２ストロークそれぞれの軌跡を、前記ディスプレイに表示する
【図面の簡単な説明】
【０００７】
【図１】実施形態の電子機器の外観の一例を示す斜視図。
【図２】実施形態の電子機器のシステム構成を示すブロック図。
【図３】デジタルノートブックアプリケーションプログラムの機能構成を示すブロック図。
【図４】補正処理の手順の一例を示すフローチャート。
【図５】補正処理を説明するための図。
【図６】補正処理を説明するための図。
【図７】補正処理を説明するための図。
【図８】補正処理を説明するための図。
【図９】補正処理を説明するための図。
【図１０】補正処理を説明するための図。
【図１１】補正処理を説明するための図。
【発明を実施するための形態】
【０００８】
以下、実施の形態について図面を参照して説明する。
【０００９】
図１は、一実施形態に係る電子機器の外観を示す斜視図である。この電子機器は、例えば、ペンまたは指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を想定する。タブレットコンピュータ１０は、タブレットまたはストレートコンピュータとも称される携帯型電子機器であり、図１に示すように、本体１１とタッチスクリーンディスプレイ１７とを備える。タッチスクリーンディスプレイ１７は、本体１１の上面に重ね合わせるように取り付けられている。
【００１０】
本体１１は、薄い箱形の筐体を有している。タッチスクリーンディスプレイ１７には、フラットパネルディスプレイと、フラットパネルディスプレイの画面上のペンまたは指の接触位置を検出するように構成されたセンサとが組み込まれている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下では、デジタイザとタッチパネルの２種類のセンサの双方がタッチスクリーンディスプレイ１７に組み込まれている場合を想定する。
【００１１】
デジタイザおよびタッチパネルタッチの各々は、フラットパネルディスプレイの画面を覆うように設けられる。このタッチスクリーンディスプレイ１７は、指を使用した画面に対するタッチ操作のみならず、ペン１００を使用した画面に対するタッチ操作も検出することができる。ペン１００は例えば電磁誘導ペンであってもよい。ユーザは、外部オブジェクト（ペン１００又は指）を使用してタッチスクリーンディスプレイ１７上で手書き入力操作を行うことができる。手書き入力操作中においては、画面上の外部オブジェクト（ペン１００又は指）の動きの軌跡、つまり手書き入力操作によって手書きされるストロークの軌跡（筆跡）がリアルタイムに描画され、これによって各ストロークの軌跡が画面上に表示される。外部オブジェクトが画面に接触されている間の外部オブジェクトの動きの軌跡が１ストロークに相当する。手書きされた文字または図形などに対応する多数のストロークの集合、つまり多数の軌跡（筆跡）の集合が手書き文書を構成する。
【００１２】
本実施形態では、この手書き文書は、イメージデータではなく、各ストロークの軌跡の座標列とストローク間の順序関係を示す時系列情報として記憶媒体に保存される。この時系列情報は、概して、複数のストロークにそれぞれ対応する時系列のストロークデータの集合を意味する。各ストロークデータは、ある一つのストロークに対応し、このストロークの軌跡上の点それぞれに対応する座標データ系列（時系列座標）を含む。これらストロークデータの並びの順序は、ストロークそれぞれが手書きされた順序つまり筆順に相当する。
【００１３】
タブレットコンピュータ１０は、記憶媒体から既存の任意の時系列情報を読み出し、この時系列情報に対応する手書き文書、つまりこの時系列情報によって示される複数のストロークそれぞれに対応する軌跡を画面上に表示することができる。さらに、タブレットコンピュータ１０は編集機能を有している。この編集機能は、「消しゴム」ツール、範囲指定ツール、および他の各種ツール等を用いたユーザによる編集操作に応じて、表示中の手書き文書内の任意のストロークまたは任意の手書き文字等を削除または移動することができる。さらに、この編集機能は、幾つかの手書き操作の履歴を取り消す機能も含んでいる。
【００１４】
本実施形態では、時系列情報（手書き文書）は、１つまたは複数のページとして管理されうる。この場合、時系列情報（手書き文書）を１つの画面に収まる面積単位で区切ることによって、１つの画面に収まる時系列情報のまとまりを１つのページとして記録してもよい。あるいは、ページのサイズを可変できるようにしてもよい。この場合、ページのサイズは１つの画面のサイズよりも大きい面積に広げることができるので、画面のサイズよりも大きな面積の手書き文書を一つのページとして扱うことができる。１つのページ全体をディスプレイに同時に表示できない場合は、そのページを縮小するようにしてもよいし、縦横スクロールによってページ内の表示対象部分を移動するようにしてもよい。
【００１５】
図２は、タブレットコンピュータ１０のシステム構成を示す図である。  
タブレットコンピュータ１０は、図２に示されるように、ＣＰＵ１０１、システムコントローラ１０２、主メモリ１０３、グラフィクスコントローラ１０５、ＢＩＯＳ−ＲＯＭ１０５、不揮発性メモリ１０６、無線通信デバイス１０７、エンベデッドコントローラ（ＥＣ）１０８等を備える。
【００１６】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、デジタルノートブックアプリケーションプログラム２０２が含まれている。このデジタルノートブックアプリケーションプログラム２０２は、上述の手書き文書を作成および表示する機能、手書き文書を編集する機能、および文字・図表認識機能等を有している。
【００１７】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００１８】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００１９】
グラフィクスコントローラ１０４は、本タブレットコンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂおよびデジタイザ１７Ｃが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。デジタイザ１７ＣはＬＣＤ１７Ａの画面上で入力を行うための電磁誘導式のポインティングデバイスである。ペン１００が接触される画面上のペン１００の位置（座標）およびペン１００の位置の動き等はデジタイザ１７Ｃによって検出される。デジタイザ１７Ｃは、画面上のペン１００の位置を示す座標を出力する。
【００２０】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じて本タブレットコンピュータ１０を電源オンまたは電源オフする機能を有している。
【００２１】
次に、図３を参照して、デジタルノートブックアプリケーションプログラム２０２の機能構成について説明する。
【００２２】
デジタルノートブックアプリケーションプログラム２０２は、ペン軌跡表示処理部３０１、時系列情報生成部３０２、ページ保存処理部３０４、ページ取得処理部３０５、手書き文書表示処理部３０６、および処理部３０８等を備える。
【００２３】
デジタルノートブックアプリケーションプログラム２０２は、タッチスクリーンディスプレイ１７を用いて入力されるストロークデータを使用することによって、手書き文書の作成、表示、編集等を行う。タッチスクリーンディスプレイ１７は、「タッチ」、「移動（スライド）」、「リリース」等のイベントの発生を検出するように構成されている。「タッチ」は、画面上に外部オブジェクトが接触したことを示すイベントである。「移動（スライド）」は、画面上に外部オブジェクトが接触されている間に接触位置が移動されたことを示すイベントである。「リリース」は、画面から外部オブジェクトが離されたことを示すイベントである。
【００２４】
ペン軌跡表示処理部３０１および時系列情報生成部３０２は、タッチスクリーンディスプレイ１７によって発生される「タッチ」または「移動（スライド）」のイベントを受信し、これによって手書き入力操作を検出する。「タッチ」イベントには、接触位置の座標が含まれている。「移動（スライド）」イベントにも、移動先の接触位置の座標が含まれている。したがって、ペン軌跡表示処理部３０１および時系列情報生成部３０２は、タッチスクリーンディスプレイ１７から、指の接触位置およびペン１００の位置の動きの軌跡に対応する座標列を受信することができる。
【００２５】
ペン軌跡表示処理部３０１は、タッチスクリーンディスプレイ１７から座標列を受信し、この座標列に基づいて、ペン１００等を使用した手書き入力操作によって手書きされる各ストロークの軌跡をタッチスクリーンディスプレイ１７内のＬＣＤ１７Ａの画面上に表示する。このペン軌跡表示処理部３０１により、画面にペン１００が接触している間のペン１００の軌跡、つまり各ストロークの軌跡がＬＣＤ１７Ａの画面上に描かれる。
【００２６】
時系列情報生成部３０２は、タッチスクリーンディスプレイ１７から出力される上述の座標列を受信し、この座標列に基づいて、時系列情報を生成する。この場合、時系列情報、つまりストロークの各点に対応する座標およびタイムスタンプ情報は作業メモリ４０１に一時保存してもよい。
【００２７】
ページ保存処理部３０４は、生成された時系列情報を手書き文書（手書きページ）として記憶媒体４０２に保存する。記憶媒体４０２は、タブレットコンピュータ１０内のストレージデバイスや、ネットワークやＵＳＢ等を介したストレージデバイスのいずれであってもよい。
【００２８】
ページ取得処理部３０５は、記憶媒体４０２から既に格納されている任意の時系列情報を読み出す。読み出された時系列情報は手書き文書表示処理部３０６に送られる。手書き文書表示処理部３０６は、時系列情報を解析し、この解析結果に基づいて、時系列情報によって示される各ストロークの軌跡を画面上に手書きページとして表示する。
【００２９】
処理部３０８は、処理対象の時系列情報に対して様々な処理を実行することができる。この処理部３０８は、認識処理部３０９、判定処理部３１０、補正演算部３１１、および補正処理部３２０を含む。
【００３０】
認識処理部３０９は、表示中の時系列情報（手書きページ）に手書きされた文字列または図形に対して手書き文字認識、手書き図形認識、手書き表認識などの認識処理を実行する。
【００３１】
認識処理部３０９は、作業メモリ４０１内の時系列情報に対してリアルタイムで文字認識して、手書き文字それぞれを文字コードに変換する。認識処理部３０９は、リアルタイムで時系列情報に対して文字認識を行うことで重なった手書き文字に対しても文字認識を行うことが可能である。
【００３２】
判定処理部３１０は、隣接して手書き入力された第１の手書き文字と第２の手書き文字とが重なっているかを判定する。
【００３３】
補正演算部３１１は、判定処理部３１０が二つの文字が重なっていると判定した場合に、ペンの位置を示す座標を補正するための補正方向および補正量を演算する。
【００３４】
補正処理部３２０は、補正演算部３１１によって演算された補正方向および補正量に基づいて、デジタイザから出力された座標を補正し、ペン軌跡表示処理部３０１および時系列情報生成部３０２に出力する。
【００３５】
図４は、補正処理の手順を示すフローチャートである。図５〜図１１は、補正処理を説明するための図である。  
先ず、認識処理部３０９は、作業メモリ４０１内の時系列情報に基づいて、入力された手書き文字に対して文字認識処理を行う（ステップＢ１１）。例えば、図５に示す第１および第２の手書き文字の場合、第１の認識文字“ａ”および第２の認識文字“ｂ”を認識する。
【００３６】
次に、判定処理部３１０は、第１の手書き文字“ａ”と第２の手書き文字“ｂ”との交点、および交点の位置座標を検出する（ステップＢ１２）。図６に示すように、判定処理部３１０は、４つの交点Ｉ1、Ｉ2、Ｉ3、Ｉ4を検出する。
【００３７】
判定処理部３１０は、検出された交点の数Ｎが設定数Ｎsより多いかを判定する（ステップＢ１３）。交点の数Ｎが設定数Ｎsより多いと判定した場合、判定処理部３１０は、図７に示すように、交点の位置座標に基づいて、第１の手書き文字“ａ”と第２の手書き文字“ｂ”との交点を囲む矩形Ｒ1の面積Ａ1を求める（ステップＢ１４）。判定処理部３１０は、図８に示すように、第１の手書き文字“ａ”および第２の手書き文字“ｂ”の外接矩形Ｒ2の面積Ａ２を求める（ステップＢ１５）。
【００３８】
判定処理部３１０は、面積Ａ1と面積Ａ2との比である重なり面積率Ｍを求める（ステップＢ１６）。判定処理部３１０は、求められた重なり面積率Ｍが予め設定された設定面積率Ｍsより大きいかを判定する（ステップＢ１７）。
【００３９】
重なり面積率Ｍが設定面積率Ｍsより大きいと判定した場合（ステップＢ１７のＹｅｓ）、第１の手書き文字“ａ”と第２の手書き文字“ｂ”とが重なっていると判定する。
【００４０】
第１の手書き文字と第２の手書き文字とが重なっていると判定された場合、補正演算部３１１は、図９に示すように、第１の手書き文字“ａ”の大きさ、および第１の手書き文字“ａ”の重心Ｃ1の位置座標を検出する（ステップＢ１８）。補正演算部３１１は、図９に示すように、第２の手書き文字“ｂ”の大きさ、および第２の手書き文字“ｂ”の重心Ｃ1の位置座標を検出する（ステップＢ１９）。補正演算部３１１は、第１の手書き文字“ａ”の大きさに応じた文字（フォント）の大きさを決定する（ステップＢ２０）。補正演算部３１１は、第１の手書き文字“ａ”の大きさに対する文字の大きさを示すテーブルに基づいて、第１の手書き文字“ａ”の大きさに応じた文字の大きさを決定する。
【００４１】
補正演算部３１１は、図１０に示すように、決定された文字の大きさで、第１の認識文字“ａ”の重心の位置座標が第１の手書き文字“ａ”の重心Ｃ1の位置座標と一致するように第１の認識文字“ａ”および第２の認識文字“ｂ”を配置した場合の第２の認識文字“ｂ”の重心Ｃ3の位置座標を検出する（ステップＢ２１）。なお、第１の認識文字“ａ”と第２の認識文字“ｂ”との文字間隔は、文字の大きさによって予め決まっており、大きさに対する文字間隔の情報はフォントデータに埋め込まれている。補正演算部３１１は、補正方向・量として、第２の手書き文字“ｂ”の重心Ｃ2の位置座標（ｘ1，ｙ1）から第２の認識文字“ｂ”の重心Ｃ3の位置座標（ｘ2，ｙ2）へ向かうベクトル（ｘ2-ｘ1，ｙ2-ｙ1）を演算する（ステップＢ２２）。補正演算部３１１は、補正方向・量としてベクトル（ｘ2-ｘ1，ｙ2-ｙ1）を補正処理部３２０に通知する（ステップＢ２３）。
【００４２】
補正処理部３２０は、補正方向・量としてベクトル（ｘ2-ｘ1，ｙ2-ｙ1）をペン軌跡表示処理部３０１および時系列情報生成部３０２に通知する（ステップＢ２４）。ペン軌跡表示処理部３０１は、図１１に示すように、通知された補正方向・量に応じて、第２の手書き文字“ｂ”の描画位置を補正する（ステップＢ２５）。時系列情報生成部３０２は、通知された補正方向・量に応じて、時系列情報内の第２の手書き文字“ｂ”に対応する座標を補正する（ステップＢ２６）。
【００４３】
補正処理部３２０は、デジタイザ１７Ｃから出力されたペンの位置を示す座標を通知された補正方向・量に応じて補正し、補正された座標をペン軌跡表示処理部３０１および時系列情報生成部３０２に出力する（ステップＢ２７）。ペン軌跡表示処理部３０１は、補正された座標に基づいてペンの軌跡を表示する。また、時系列情報生成部３０２は、補正された座標に基づいて時系列情報を生成する。
【００４４】
複数のストロークに対して文字認識を行い、認識された第１の文字に対応し、画面上に表示されている第１の手書き文字の重心位置に基づいて、第１の文字および認識された第２の文字を前記画面上に表示した場合の第２の文字の重心位置と、第２の文字に対応し、画面上に表示されている第２の手書き文字の重心位置とに基づいて、ペンの位置を示す座標を補正するための補正方向および補正量を演算することで、ペンの位置を示す座標の補正方向・量を簡易に求めることが可能となる。
【００４５】
上記実施形態では、アルファベットが入力された場合の補正処理について説明したが、漢字の場合、漢字一文字でも部首と部外とを分けて判別することで重なりを検出することが好ましい。
【００４６】
本実施形態の手書き文書に対する各種処理はコンピュータプログラムによって実現することができるので、このコンピュータプログラムを格納したコンピュータ読み取り可能な記憶媒体を通じてこのコンピュータプログラムをタッチスクリーンディスプレイを備えた通常のコンピュータにインストールして実行するだけで、本実施形態と同様の効果を容易に実現することができる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１０…タブレットコンピュータ、１７…タッチスクリーンディスプレイ、１７Ａ…ＬＣＤ、１７Ｂ…タッチパネル、１７Ｃ…デジタイザ、１００…ペン、１０１…ＣＰＵ、１０３…主メモリ、１０４…グラフィクスコントローラ、１０６…不揮発性メモリ、２０１…オペレーティングシステム、２０２…デジタルノートブックアプリケーションプログラム、３０１…ペン軌跡表示処理部、３０２…時系列情報生成部、３０４…ページ保存処理部、３０５…ページ取得処理部、３０６…手書き文書表示処理部、３０８…処理部、３０９…認識処理部、３１０…判定処理部、３１１…補正演算部、３２０…補正処理部、４０１…作業メモリ。
【要約】
【課題】ペンの位置を示す座標の補正方向・量を簡易に求めること。
【解決手段】実施形態によれば、電子機器は、ディスプレイと、表示処理手段と、補正演算手段とを具備する。前記表示処理手段は、前記上のペン軌跡によって入力される複数のストロークを、前記ディスプレイに表示する。前記補正演算手段は、複数のストロークから認識可能な第１の文字の位置と、前記複数のストロークから認識可能な第２の文字の位置とを用いて、ペンの位置を示す座標を補正するための補正方向および補正量を決定する。
【選択図】    図３【図１】
0005389241.tif 000002
【図２】
0005389241.tif 000003
【図３】
0005389241.tif 000004
【図４】
0005389241.tif 000005
【図５】
0005389241.tif 000006
【図６】
0005389241.tif 000007
【図７】
0005389241.tif 000008
【図８】
0005389241.tif 000009
【図９】
0005389241.tif 000010
【図１０】
0005389241.tif 000011
【図１１】
0005389241.tif 000012